(57)【要約】【課題】 撮影した静止画像に副画像を合成してプリンタに出力することができるデジタルスチルカメラ等を提供する。【解決手段】 静止画像メモリ１４は、カメラ処理回路１３が生成したビデオ信号から静止画像を切り出して、静止画像データを格納する。プリンタ２の副画像メモリは、静止画像に合成する窓枠画像やキャラクターコード等を副画像として格納している。送受信回路２１，３１は、赤外線双方向通信を行う。このシステムでは、合成モードにおいて、プリンタ２からスチルカメラ１に副画像が伝送され、この伝送された副画像と撮影した静止画像を合成してディスプレイ１９に表示する。そして、プリントモードにおいて、この合成した合成画像をスチルカメラ１からプリンタ２に伝送し、プリントアウトする。【選択図】        図１
2006287958.tif 000002
【特許請求の範囲】
【請求項１】
被写体を撮影して撮影画像データを生成する撮影手段と、
上記撮影画像データを記憶する撮影画像記憶手段と、
上記撮影手段が生成する撮影画像データに合成する副画像データを記憶する副画像記憶手段と、
上記撮影画像記憶手段に記憶した撮影画像データと上記副画像記憶手段に記憶した副画像データを合成して合成画像データを生成する合成手段と、
上記合成画像データを表示する表示手段と、
プリンタから上記副画像記憶手段が記憶する副画像データを受信し、上記プリンタに上記合成画像データを送信する赤外線双方向通信手段と、
動作モードを切り換える選択手段とを有し、
上記選択手段により副画像合成モードが選択されると合成手段により合成画像データを生成して上記表示手段で表示するデジタルスチルカメラ。
【請求項２】
上記選択手段は、上記撮影画像記憶手段に記憶した撮影画像データ、上記副画像記憶手段に記憶した副画像データ、及び、上記合成手段が合成した合成画像データのいずれかを選択し、
上記表示手段は、上記選択手段が選択した画像データを表示することを特徴とする請求項１に記載のデジタルスチルカメラ。
【請求項３】
上記選択手段は、上記撮影画像記憶手段に記憶した撮影画像データ、上記副画像記憶手段に記憶した副画像データ、及び、上記合成手段が合成した合成画像データのいずれかを選択し、
上記赤外線双方向通信手段は、上記選択手段が選択した画像データをプリンタに送信することを特徴とする請求項１に記載のデジタルスチルカメラ。
【請求項４】
上記副画像記憶手段は、複数の副画像データを記憶することを特徴とする請求項１に記載のデジタルスチルカメラ。
【請求項５】
上記副画像記憶手段に記憶した複数の副画像データのいずれかを選択する選択手段を備え、
上記合成手段は、上記選択手段が選択した副画像データと撮影画像データを合成することを特徴とする請求項４に記載のデジタルスチルカメラ。
【請求項６】
合成用の副画像データを記憶する副画像記憶手段と、
上記副画像記憶手段に記憶した副画像データをデジタルスチルカメラに送信し、このデジタルスチルカメラから画像データを受信する赤外線双方向通信手段と、
上記赤外線双方向通信手段により受信した画像データを記憶する撮影画像記憶手段と、
上記撮影画像記憶手段に記憶した画像データをプリントするプリントアウト手段とを備えるプリンタ。
【請求項７】
被写体を撮影して撮影画像データを生成する撮影手段と、上記撮影画像データを記憶するカメラ用撮影画像記憶手段と、上記撮影手段が生成する撮影画像データに合成する副画像データを記憶するカメラ用副画像記憶手段と、上記カメラ用撮影画像記憶手段に記憶した撮影画像データと上記カメラ用副画像記憶手段に記憶した副画像データを合成して合成画像データを生成する合成手段と、上記合成画像データを表示する表示手段と、副画像データの受信及び合成画像データの撮影画像データ及び副画像データを指定する制御データの送信をするカメラ用赤外線送受信手段と、動作モードを切り換える操作手段とを有し、上記操作手段により副画像合成モードが設定されると合成手段により合成画像データを生成して上記表示手段で表示するデジタルスチルカメラと、
合成用の副画像データを記憶するプリンタ用副画像記憶手段と、上記プリンタ用副画像記憶手段に記憶した副画像データを上記デジタルスチルカメラに送信し、このデジタルスチルカメラから画像データを受信するプリンタ用赤外線送受信手段と、上記プリンタ用送受信手段により受信した画像データを記憶する撮影画像記憶手段と、上記撮影画像記憶手段に記憶した画像データと上記副画像データとを合成する合成手段と、上記合成手段によって副画像を合成した合成画像をプリントするプリントアウト手段とを有し、上記デジタルスチルカメラから送信された画像データと上記プリンタ用副画像記憶手段に記憶された副画像データを指定する制御データにより上記合成画像をプリントアウトするように構成されたプリンタとを備え、
上記プリンタは、プリンタ用副画像記憶手段に記憶した副画像データを上記デジタルスチルカメラに送信し、上記デジタルスチルカメラは、上記プリンタから受信した副画像データに基づき合成画像データを生成し、この合成画像データの撮影画像データ及び副画像を指定する制御データを上記プリンタに送信することを特徴とするデジタルスチル画像の撮影システム。
【発明の詳細な説明】
【技術分野】
【０００１】
本発明は、被写体を撮影して静止画像データを出力するデジタルスチルカメラ、このデジタルスチルカメラの静止画像データをプリントアウトするプリンタ、デジタルスチルカメラで得られた静止画像データを伝送してこの静止画像データをプリントアウトするデジタルスチル画像の撮影システムに関する。
【背景技術】
【０００２】
従来より、デジタルスチルカメラとプリンタを所定のインターフェースを介して接続し、撮影して得られる静止画像データをデジタルスチルカメラからプリンタに伝送し、プリンタが静止画像をプリントアウトする静止画像の撮影システムが知られている。
【０００３】
このような静止画像の撮影システムでは、例えば、コンピュータ等に画像を取り込むこと無く、撮影した静止画像を直接プリントアウトすることができる。
【０００４】
【特許文献１】特開平０６−２３７４３１号公報
【特許文献２】特開平０６−３５１０１２号公報
【発明の開示】
【発明が解決しようとする課題】
【０００５】
ところで、上述の従来の静止画像の撮影システムでは、画像処理を行うコンピュータ等が介在していないため、例えば、撮影した画像を装飾するための窓枠画像やこの画像上にコメント等をつけ加える為のキャラクターコード等を、撮影して得られる静止画像データに合成することができなかった。例えば、従来の静止画像の撮影システムでは、デジタルスチルカメラが、上述した窓枠画像等のデータを外部から取り込んで、この取り込んだ窓枠等のデータを静止画像データに合成することができなかった。
【０００６】
本発明は、このような実情を鑑みてなされたものであり、撮影した静止画像に副画像を合成して外部の装置に出力することができるデジタルスチルカメラ、このデジタルスチルカメラに用いられるプリンタ、及び、このデジタルスチルカメラ及びプリンタを適用したデジタルスチル画像の撮影システムを提供することを目的とする。
【課題を解決するための手段】
【０００７】
本発明に係るデジタルスチルカメラは、 被写体を撮影して撮影画像データを生成する撮影手段と、上記撮影画像データを記憶する撮影画像記憶手段と、上記撮影手段が生成する撮影画像データに合成する副画像データを記憶する副画像記憶手段と、上記撮影画像記憶手段に記憶した撮影画像データと上記副画像記憶手段に記憶した副画像データを合成して合成画像データを生成する合成手段と、上記合成画像データを表示する表示手段と、プリンタから上記副画像記憶手段が記憶する副画像データを受信し、上記プリンタに上記合成画像データを送信する赤外線双方向通信手段と、動作モードを切り換える選択手段とを有し、上記選択手段により副画像合成モードが選択されると合成手段により合成画像データを生成して上記表示手段で表示することを特徴とする。
【０００８】
また、本発明に係るプリンタは、合成用の副画像データを記憶する副画像記憶手段と、上記副画像記憶手段に記憶した副画像データをデジタルスチルカメラに送信し、このデジタルスチルカメラから画像データを受信する赤外線双方向通信手段と、上記赤外線双方向通信手段により受信した画像データを記憶する撮影画像記憶手段と、上記撮影画像記憶手段に記憶した画像データをプリントするプリントアウト手段とを備えることを特徴とする。
【０００９】
さらに、本発明に係るデジタルスチル画像の撮影システムは、被写体を撮影して撮影画像データを生成する撮影手段と、上記撮影画像データを記憶するカメラ用撮影画像記憶手段と、上記撮影手段が生成する撮影画像データに合成する副画像データを記憶するカメラ用副画像記憶手段と、上記カメラ用撮影画像記憶手段に記憶した撮影画像データと上記カメラ用副画像記憶手段に記憶した副画像データを合成して合成画像データを生成する合成手段と、上記合成画像データを表示する表示手段と、副画像データの受信及び合成画像データの撮影画像データ及び副画像データを指定する制御データの送信をするカメラ用赤外線送受信手段と、動作モードを切り換える操作手段とを有し、上記操作手段により副画像合成モードが設定されると合成手段により合成画像データを生成して上記表示手段で表示するデジタルスチルカメラと、合成用の副画像データを記憶するプリンタ用副画像記憶手段と、上記プリンタ用副画像記憶手段に記憶した副画像データを上記デジタルスチルカメラに送信し、このデジタルスチルカメラから画像データを受信するプリンタ用赤外線送受信手段と、上記プリンタ用送受信手段により受信した画像データを記憶する撮影画像記憶手段と、上記撮影画像記憶手段に記憶した画像データと上記副画像データとを合成する合成手段と、上記合成手段によって副画像を合成した合成画像をプリントするプリントアウト手段とを有し、上記デジタルスチルカメラから送信された画像データと上記プリンタ用副画像記憶手段に記憶された副画像データを指定する制御データにより上記合成画像をプリントアウトするように構成されたプリンタとを備え、上記プリンタは、プリンタ用副画像記憶手段に記憶した副画像データを上記デジタルスチルカメラに送信し、上記デジタルスチルカメラは、上記プリンタから受信した副画像データに基づき合成画像データを生成し、この合成画像データの撮影画像データ及び副画像を指定する制御データを上記プリンタに送信することを特徴とする。
【発明の効果】
【００１０】
本発明に係るデジタルスチルカメラでは、赤外線双方向通信手段を介してプリンタから副画像データを取得し、操作手段により副画像合成モードが設定されると合成手段により合成画像データを生成して上記表示手段で表示する。このデジタルスチルカメラでは、合成画像データを表示手段で表示し、また、合成画像データを赤外線双方向通信手段を介して外部装置に送信する。
【００１１】
このことにより、本発明に係るデジタルスチルカメラでは、撮影した画像に外部から供給された副画像を合成することができ、この合成した画像をプリンタに直接送信することできる。また、本発明に係るデジタルスチルカメラでは、通常ファインダ等として用いるための表示手段に、合成画像を表示することができ、画像合成処理の確認や設定を容易に行うことができる。従って、例えば、携帯性のある小型プリンタ等と同時に用いることにより、アウトドアユースが可能となる。また、本発明に係るデジタルスチルカメラでは、記憶した撮影画像データを変更せずに合成処理を行うので、複数の副画像データを用意して、１枚の撮影画像データで複数種類の合成画像データを生成することができる。
【００１２】
また、本発明に係るプリンタでは、副画像データを記憶しており、この副画像データを赤外線双方向通信手段を介してデジタルスチルカメラに送信する。そして、このプリンタでは、赤外線双方向通信手段を介して送信した副画像データと撮影して得られた撮影画像データを合成した合成画像データをプリントする。
【００１３】
このことにより、本発明に係るプリンタでは、デジタルスチルカメラに対して副画像データを供給することができ、この供給した副画像データが合成された撮影画像データをプリントすることができる。従って、合成画像データのプリント処理が容易となる。
【００１４】
本発明に係るデジタルスチル画像の撮影システムでは、プリンタが、プリンタ用副画像記憶手段に記憶した副画像データを赤外線双方向通信手段を介してデジタルスチルカメラに送信し、デジタルスチルカメラが、上記プリンタから受信した副画像データに基づき合成画像データを生成してこの合成画像データを上記プリンタに赤外線双方向通信手段を介して送信し、さらに、このプリンタが、この合成画像データをプリントする。
【００１５】
このことにより、本発明に係るデジタルスチル画像の撮影システムでは、デジタルスチルカメラが撮影した画像にプリンタから供給された副画像を合成することができ、この合成した画像をこのデジタルスチルカメラからプリンタに直接送信することできる。また、本発明に係るデジタルスチル画像の撮影システムでは、通常ファインダ等として用いるための表示手段に合成画像を表示することができ、画像合成処理の確認や設定を容易に行うことができる。従って、例えば、携帯性のある小型プリンタを用いることにより、アウトドアユースが可能となる。また、本発明に係るデジタルスチル画像の撮影システムでは、記憶した撮影画像データを変更せずに合成処理を行うので、複数の副画像データを用意して、１枚の撮影画像データで複数種類の合成画像データを生成することができる。
【発明を実施するための最良の形態】
【００１６】
以下、本発明の実施の形態について、図面を参照しながら説明する。
【００１７】
図１に示す静止画像の撮影システムは、デジタルスチルカメラ１と、プリンタ２とからなり、このデジタルスチルカメラ１とプリンタ２とが例えばＩｒＤＡ方式による双方向赤外線通信を行なっている。
【００１８】
デジタルスチルカメラ１は、被写体からの反射光が入射されるカメラレンズ１１と、被写体からの反射光をカメラレンズ１１を介して受光して撮像信号を生成するＣＣＤ（Charge Coupled Device）イメージセンサ（以下、単にＣＣＤと呼ぶ。）１２と、このＣＣＤ１２から撮像信号を取り出してデジタルのビデオデータを生成するカメラ処理回路１３と、撮像したビデオデータを１画面単位の静止画像データとして記憶する静止画像メモリ１４と、この静止画像メモリ１４を制御する静止画像メモリコントロール回路１５とを備えている。
【００１９】
また、デジタルスチルカメラ１は、撮影した画像に合成する副画像データを１画面単位毎に管理して記憶する副画像メモリ１６と、この副画像メモリ１６を制御する副画像メモリコントロール回路１７と、カメラ処理回路１３が生成したビデオデータ並びに静止画像メモリ１４が記憶している静止画像データ及び副画像メモリ１６が記憶している副画像データが供給され、この静止画像データと副画像データとの合成処理等を行う合成回路１８と、画像データを表示するディスプレイ１９と、合成回路１８から供給される画像データをディスクプレイ１９上に表示させるディスプレイコントロール回路２０とを備えている。
【００２０】
また、デジタルスチルカメラ１は、静止画像データ及び副画像データ等のＩｒＤＡによる赤外線双方向通信をプリンタ２と行う送受信回路２１と、ユーザにより操作入力がされる操作入力部２２と、ユーザからの操作入力等に基づき撮影制御、表示制御、副画像の合成制御、送受信制御等を行うシステムコントロール回路２３とを備えている。
【００２１】
プリンタ２は、静止画像データ及び副画像データ等のＩｒＤＡによる赤外線双方向通信をデジタルスチルカメラ１と行う送受信回路３１と、この送受信回路３１を介してデジタルスチルカメラ１から供給される静止画像データ等を記憶する出力画像メモリ３２と、この出力画像メモリ３２を制御する出力画像メモリコントロール回路３３と、出力画像メモリ３２が記憶する静止画像データを例えば紙面上にプリントアウトするプリントアウト回路３４と、デジタルスチルカメラ１が撮影した静止画像データに合成する副画像データを記憶する副画像メモリ３５と、この副画像メモリ３５を制御し指定された副画像データを送受信回路３１を介してデジタルスチルカメラ１に供給する副画像メモリコントロール回路３６とを備えている。
【００２２】
デジタルスチルカメラ１のカメラ処理回路１３は、ＣＣＤ１２からの撮像信号を所定のレベルに増幅してデジタル信号に変換する。カメラ処理回路１３は、必要な同期信号等を生成し、また、色コーディングフィルタにより色コーディングされたビデオデータに変換する。このような処理を行ってカメラ処理回路１３は、例えば、デジタルの輝度（Ｙ）信号、色差（Ｃｒ／Ｃｂ）信号や或いはデジタルのＲ，Ｇ，Ｂ信号等で構成されるビデオデータを生成する。
【００２３】
デジタルスチルカメラ１の静止画像メモリ１４は、カメラ処理回路１３により生成されたビデオデータから切り出された静止画像を、１画面単位で記憶する。デジタルスチルカメラ１の副画像メモリ１６は、送受信回路２１を介してプリンタ２から供給される副画像データを記憶する。
【００２４】
合成回路１８には、カメラ処理回路１３により生成されたビデオデータ、静止画像メモリ１４が記憶している１画面分の静止画像データ、及び、副画像メモリ１６が記憶している副画像データが供給される。この合成回路１８は、システムコントロール回路２３の制御処理に基づき、静止画像データと副画像データを合成する。そして、この合成回路１４は、システムコントロール回路２３による選択制御に基づき、カメラ処理回路１３により生成されたビデオデータ、静止画像メモリ１４が記憶している１画面分の静止画像データ、副画像メモリ１６が記憶している副画像データのいずれかを選択して出力する。また、この合成回路１４は、システムコントロール回路２３による制御に基づき、静止画像データを副画像データに合成して合成した後の合成画像データを出力する。合成回路１８は、これらのデータをディスプレイコントロール回路２０又は送受信回路２１に供給する。
【００２５】
ディスプレイコントロール回路２０は、合成回路１８から供給された画像データを、ディスプレイ１９上に表示する。
【００２６】
送受信回路２１は、合成回路１８から供給された画像データを、送受信回路３１を介してプリンタ２に送信し、また、プリンタ２から送信された副画像データを受信して副画像メモリ１６に供給する。
【００２７】
プリンタ２は、送受信回路３１が受信した画像データを、出力画像メモリ３２上に格納し、この格納した画像データをプリントアウト回路３４によりプリントアウトする。
【００２８】
また、プリンタ２の副画像メモリ３５は、デジタルスチルカメラ１が撮影した静止画像に合成するための副画像データを記憶している。
【００２９】
ここで、この副画像メモリ３５が記憶している副画像とは、以下のような画像である。
【００３０】
例えば、この副画像は、図２（ａ）や図２（ｂ）に示すような窓枠や絵柄、又は、図２（ｃ）や図２（ｄ）に示すようなキャラクターコード等である。このような副画像は、デジタルスチルカメラ１により撮影された静止画像に合成するためのものである。
【００３１】
以上のような構成の静止画像の撮影システムでは、動作モードとして、撮影モード、静止画像鑑賞モード、副画像合成モード、プリントモードを有しており、各動作モードにおいて、それぞれ以下のような処理がされる。
【００３２】
各動作モードの切り換えは、操作入力部２２に設けられている操作ボタン等を、ユーザが操作することによって行われる。
【００３３】
ユーザにより操作ボタン等が操作され、撮影モードが設定されると、デジタルスチルカメラ１では、カメラレンズ１１等で撮影されたビデオデータをそのままディスプレイ１９上に表示する。ディスプレイ１９は、カメラレンズ１１で撮影されている被写体を表示し、いわゆるカメラ装置のファインダとして機能する。ユーザは、このディスプレイ１９上に表示された動画像を確認しながら、デジタルスチルカメラ１に設けられたシャッタボタンを押す。デジタルスチルカメラ１は、シャッタボタンが押されると、その押されたタイミングで、動画像から１画面分の画像データ切り出し、切り出した１画面分のデータを静止画像データとして静止画像メモリ１４に格納する。この静止画像メモリ１４には複数画面分の静止画像データを記憶することができ、ユーザは、この撮影モードにおいてシャッタボタンを押す毎にそのタイミングで得られる静止画像を撮影することができる。
【００３４】
続いて、この撮影モードで撮影された静止画像データが静止画像メモリ１４に格納されている状態において、ユーザにより操作ボタン等が操作され静止画像鑑賞モードが設定されると、デジタルスチルカメラ１では、静止画像メモリ１４が記憶している静止画像データを、ディスプレイ１９上に表示する。静止画像メモリ１４に複数画面分の静止画像データが格納されている場合には、ユーザは、操作入力部２２を操作して、表示する静止画像を選択することができる。
【００３５】
続いて、この静止画像鑑賞モードで静止画像メモリ１４に格納されている静止画像データがディスプレイ１９上に表示されている状態において、ユーザにより操作入力部２２が操作されて副画像合成モードに設定されると、デジタルスチルカメラ１では、静止画像メモリ１４が記憶している静止画像データに副画像を合成して、ディスプレイ１９上に表示する。この合成モードが設定された場合の処理の流れは、以下のとおりである。
【００３６】
まず、デジタルスチルカメラ１は、ユーザにより合成モードが設定されると、プリンタ２の副画像メモリ３５が記憶している副画像データを、送受信回路２１，３１を介して取り込む。デジタルスチルカメラ１に取り込まれた副画像データは、このデジタルスチルカメラ１の副画像メモリ１６に一旦格納される。デジタルスチルカメラ１は、副画像メモリ１６に一旦格納した副画像データを合成回路１８に供給する。合成回路１８は、現在表示している静止画像データに副画像データを合成する。例えば、合成回路１８は、静止画像に副画像を上書きするかたちで合成する。合成回路１８は、静止画像データと副画像データとを合成した合成画像データをディスプレイコントロール回路２０に供給する。そして、このディスプレイコントロール回路２０は、この合成画像データをディスプレイ１９上に表示する。
【００３７】
従って、この静止画像の撮影システムでは、撮影した静止画像に、窓枠やキャラクターコード等の副画像を合成して表示することができる。具体的には、この静止画像の撮影システムでは、撮影した静止画像が例えば図３（ａ）に示すような人物とその背景の画像であり、プリンタ２の副画像メモリ３５に記憶されている副画像が図３（ｂ）に示すような窓枠画像であれば、合成画像として図３（ｃ）に示すような静止画像に副画像を上書きしたかたちの合成画像を表示することができる。
【００３８】
また、この静止画像の撮影システムでは、複数の副画像データをプリンタ２の副画像メモリ３５に格納することができる。この場合、この静止画像の撮影システムでは、ユーザが操作ボタン等を操作することによって、この副画像が切り換えられ表示できる。具体的には、デジタルスチルカメラ１は、一旦静止画像メモリ１６に取得した副画像データを静止画像メモリ１４に格納している静止画像データに合成して合成画像データを表示する。この後に、デジタルスチルカメラ１は、ユーザから他の副画像データの取得命令があると、プリンタ２から他の副画像データを新たに取得する。そして、この新たに取得した副画像データを、現在表示している静止画像データに合成し、新たな合成画像データをディスプレイ１９上に表示する。従って、この静止画像の撮影システムでは、撮影した静止画像データのデータ内容を変更せずに、複数の合成画像を表示することができる。
【００３９】
続いて、静止画像鑑賞モードで静止画像メモリ１４に格納されている静止画像データがディスプレイ１９上に表示されている状態、或いは、合成モードで合成画像がディスプレイ１９上に表示されている状態において、ユーザにより操作ボタン等が操作されてプリントモードに設定されると、静止画像の撮影システムでは、現在表示している静止画像或いは合成画像がプリントアウトされる。プリントモードが設定された場合の処理の流れは、以下のとおりである。
【００４０】
まず、デジタルスチルカメラ１は、プリントモードが設定されると、合成回路１８がディスプレイコントロール回路２０に対して出力している静止画像データ或いは合成画像データが、送受信回路２１及び送受信回路３１により赤外線通信がされプリンタ２に送信される。送信されたデータは、一旦プリンタ２の出力画像メモリ３２に格納される。そして、プリントアウト回路３４は、この出力画像メモリ３２に格納された画像データを例えば紙面上にプリントアウトする。
【００４１】
以上のように、本発明の実施の形態の静止画像の撮影システムでは、撮影した静止画像に副画像を合成することができ、この合成画像を表示するとともにプリンタ２に直接送信してプリントアウトすることができる。また、静止画像の撮影システムでは、通常ファインダ等として用いるためのディスプレイ１９に合成画像を表示することができるため、画像合成処理の確認や設定を容易に行うことができる。例えば、プリンタ２が、携帯性のある小型のものであれば、アウトドアユースとして用いることができる。また、静止画像の撮影システムでは、記憶した撮影画像データを変更せずに合成処理を行うので、複数の副画像データを用意して、１枚の撮影画像データで複数種類の合成画像データを生成することができる。
【００４２】
なお、本実施の形態の静止画像の撮影システムでは、プリンタ２側の副画像メモリ３５のみに副画像データが格納されている場合を説明したが、例えば、デジタルスチルカメラ１側の副画像メモリ１６を充分大きな容量のメモリとして、この副画像メモリ１６に副画像データを格納しておいてもよい。
【００４３】
また、本実施の形態の静止画像の撮影システムのプリンタ２に、出力画像メモリ３２に記憶した撮影画像データと、副画像メモリ３５に記憶した副画像データとを合成する合成回路を設けても良い。この合成回路をプリンタ２に設けることにより、例えば、撮影した静止画像データと副画像データとを合成する合成回路を備えていないデジタルスチルカメラと接続した場合であっても、副画像を合成した合成画像をプリントアウトすることができる。
【００４４】
また、この合成回路を設けたプリンタに、本実施の形態の静止画像の撮影システムのデジタルスチルカメラ１を接続した場合、このデジタルスチルカメラ１から合成後の画像データを伝送せずに、撮影したすなわち静止画像メモリに格納した静止画像データと副画像メモリに記憶した副画像を指定する制御データのみを伝送することが可能となる。
【図面の簡単な説明】
【００４５】
【図１】本発明の実施の形態の静止画像の撮影システムのブロック構成図である。
【図２】上記静止画像の撮影システムで合成する副画像を説明する為の図である。
【図３】副画像と静止画像との合成処理を説明する為の図である。
【符号の説明】
【００４６】
１ デジタルスチルカメラ、２ プリンタ、１４ 静止画像メモリ、１８ 合成回路、１９ ディスプレイ、１６，３５ 副画像メモリ、２２ 操作入力部、２３ システムコントロール回路、２１，３１ 送受信回路、３２ 出力画像メモリ、３４ プリントアウト回路、３５ 副画像メモリ
【図１】
2006287958.tif 000003
【図２】
2006287958.tif 000004
【図３】
2006287958.tif 000005